【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
ＬＥＤ素子が実装されたＬＥＤ基板と、前記ＬＥＤ素子を点灯駆動するための点灯回路を構成する電子部品が実装された点灯回路基板と、前記ＬＥＤ素子の出射光を透光して前記ＬＥＤ素子が実装された側を覆う透光性カバーと、前記ＬＥＤ基板の外周に設けられた反射板とが配設されたＬＥＤランプ本体と、前記ＬＥＤランプ本体の外縁と前記透光性カバーの外縁との間を覆う枠体と、を備え、天井等の被取付部に前記ＬＥＤランプ本体が固定手段によって取り付けられたＬＥＤ照明装置であって、前記透光性カバーが前記反射板によりＬＥＤランプ本体に固定されていることを特徴としたＬＥＤ照明装置。
【請求項２】
前記透光性カバーが、前記反射板の端部を延出して形成された透光性カバー留め部により、反射板に装着されていることを特徴とした請求項１に記載のＬＥＤ照明装置。
【請求項３】
前記透光性カバー留め部は、前記反射板の端部延出部を折り曲げて前記透光性カバーの端部を挟持するように構成されており、前記折り曲げ部が、対向して透光性カバーを挟んでいる反射板端部の部分より、前記透光性カバー中心部方向に延出していることを特徴とした請求項２に記載のＬＥＤ照明装置。
【請求項４】
前記点灯回路基板に放熱板が設けられ、前記放熱板は、下部が開口されている略台形で、前記点灯回路基板に前記略台形の頂部で装着されたことを特徴とした請求項１から３のいずれかに記載のＬＥＤ照明装置。
【請求項５】
前記ＬＥＤ素子を調光するための調光回路を構成する電子部品が実装された調光回路基板が備えられて、  前記調光回路基板に放熱板が設けられ、前記放熱板は、下部が開口されている略台形で、前記調光回路基板に前記略台形の頂部で装着されたことを特徴とした請求項１から４のいずれかに記載のＬＥＤ照明装置。
【請求項６】
前記放熱板が、前記ＬＥＤランプ本体と一体として形成されていることを特徴とした請求項４又は５に記載のＬＥＤ照明装置。
【請求項７】
前記ＬＥＤ基板が、前記ＬＥＤ基板の最外周からＬＥＤ素子が２以上の内側の位置で、前記ＬＥＤランプ本体に取り付けられたことを特徴とした請求項１から６のいずれかに記載のＬＥＤ照明装置。
【請求項８】
前記透光性カバーに、該透光性カバーの中央部より外周部が高密度となる光拡散面を形成したことを特徴とした請求項１から７のいずれかに記載のＬＥＤ照明装置。
【請求項９】
前記ＬＥＤ基板上に配置されている最外周の前記ＬＥＤ素子の端部と前記反射板の距離が、前記ＬＥＤ基板上に配置されているＬＥＤ素子間の距離より小さくなるように配置されていることを特徴とした請求項１から８のいずれかに記載のＬＥＤ照明装置。
【請求項１０】
前記ＬＥＤ基板上に配置されているＬＥＤ素子と前記透光性カバーの距離が、前記ＬＥＤ基板上に配置されているＬＥＤ素子間の距離より大きくなるように配置されていることを特徴とした請求項１から９のいずれかに記載のＬＥＤ照明装置。 
【手続補正２】
【補正対象書類名】明細書
【補正対象項目名】０００８
【補正方法】変更
【補正の内容】
【０００８】請求項１に記載の発明にあたっては、ＬＥＤ素子が実装されたＬＥＤ基板と、前記ＬＥＤ素子を点灯駆動するための点灯回路を構成する電子部品が実装された点灯回路基板と、前記ＬＥＤ素子の出射光を透光して前記ＬＥＤ素子が実装された側を覆う透光性カバーと、前記ＬＥＤ基板の外周に設けられた反射板とが配設されたＬＥＤランプ本体と、前記ＬＥＤランプ本体の外縁と前記透光性カバーの外縁との間を覆う枠体と、を備え、天井等の被取付部に前記ＬＥＤランプ本体が固定手段によって取り付けられたＬＥＤ照明装置であって、前記透光性カバーが前記反射板によりＬＥＤランプ本体に固定されていることを特徴とするものである。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】 請求項２に記載の発明にあたっては、前記透光性カバーが、前記反射板の端部を延出して形成された透光性カバー留め部により、反射板に装着されていることを特徴とするものである。
【手続補正５】
【補正対象書類名】明細書
【補正対象項目名】００１１
【補正方法】変更
【補正の内容】
【００１１】請求項３に記載の発明にあたっては、前記透光性カバー留め部は、前記反射板の端部延出部を折り曲げて前記透光性カバーの端部を挟持するように構成されており、前記折り曲げ部が、対向して透光性カバーを挟んでいる反射板端部の部分より、前記透光性カバー中心部方向に延出していることを特徴とするものである。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】 請求項４に記載の発明にあたっては、前記点灯回路基板に放熱板が設けられ、前記放熱板は、下部が開口されている略台形で、前記点灯回路基板に前記略台形の頂部で装着されたことを特徴とするものである。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】変更
【補正の内容】
【００２５】請求項５に記載の発明にあたっては、前記ＬＥＤ素子を調光するための調光回路を構成する電子部品が実装された調光回路基板が備えられて、前記調光回路基板に放熱板が設けられ、前記放熱板は、下部が開口されている略台形で、前記調光回路基板に前記略台形の頂部で装着されたことを特徴とするものである。
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】変更
【補正の内容】
【００２９】請求項６に記載の発明にあたっては、前記放熱板が、前記ＬＥＤランプ本体と一体として形成されていることを特徴とするものである。
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】変更
【補正の内容】
【００３１】 請求項７に記載の発明にあたっては、前記ＬＥＤ基板が、前記ＬＥＤ基板の最外周からＬＥＤ素子が２以上の内側の位置で、前記ＬＥＤランプ本体に取り付けられたことを特徴とするものである。
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】変更
【補正の内容】
【００３９】請求項８に記載の発明にあたっては、前記透光性カバーに、該透光性カバーの中央部より外周部が高密度となる光拡散面を形成したことを特徴とするものである。
【手続補正３４】
【補正対象書類名】明細書
【補正対象項目名】００４０
【補正方法】変更
【補正の内容】
【００４０】請求項９に記載の発明にあたっては、前記ＬＥＤ基板上に配置されている最外周の前記ＬＥＤ素子の端部と前記反射板の距離が、前記ＬＥＤ基板上に配置されているＬＥＤ素子間の距離より小さくなるように配置されていることを特徴とするものである。
【手続補正３５】
【補正対象書類名】明細書
【補正対象項目名】００４１
【補正方法】変更
【補正の内容】
【００４１】請求項１０に記載の発明にあたっては、前記ＬＥＤ基板上に配置されているＬＥＤ素子と前記透光性カバーの距離が、前記ＬＥＤ基板上に配置されているＬＥＤ素子間の距離より大きくなるように配置されていることを特徴とするものである。